(57)【要約】【課題】容器の入り口部分に薬剤を配置するのみで、薬剤と粘性液体との混合が容易に行え、使用者にとって利用しやすい薬剤経口投与器具の提供を課題とする。【解決手段】可撓性のある袋容器１００に、粘性液体を充填している。この袋容器１００の一端には、薬剤を入れるのに充分な大きさの筒部材２００が配置されており、使用者は、筒部材２００の開口部の蓋を空ければ、開口部から薬剤を投入できる。筒部材２００は二重管構造で、内壁２０３には内部孔２０６が開口しており、使用者が薬剤を投入した状態で袋容器１００を握って押圧変形させれば、内部孔２０６から粘性液体が薬剤の上部を覆い被せられる。即ち、粘性液体によって薬剤をサンドイッチ状に覆える。使用者は、その状態で筒状部２００を口でくわえ、かつ、同時に袋容器１００を更に握って、袋容器１００の内部の粘性液体を吸引すれば、粘性液体と共に薬剤を同時に飲み込むことができる。【選択図】図７
2020078395.tif 000002
【特許請求の範囲】
【請求項１】
可撓性材料からなり、内部に粘性液体を保持可能な袋容器（１００）と、
前記袋容器（１００）の一端開口部（１０４）に配置され、開口端（２０４）は使用者が口で含める外径をなし、開口端（２０４）側が閉じ開口端と反対側（２０５）は開く二重管構造の内壁（２０３）を有し、かつ、内壁（２０３）には内部孔（２０６）が形成された筒部材（２００）と、
前記筒部材（２００）の開口部を覆う蓋部材（３００）と、を備えることを特徴とする
薬剤経口投与器具。
【請求項２】
前記蓋部材（３００）は、前記筒部材（２００）と固着する固着部（３０２）と、前記筒部材（２００）のネジ部（２０１）と螺合するネジ部（３０１）を有する取り外しキャップ部（３０３）とを有し、前記固着部（３０２）と取り外しキャップ部（３０３）とは切り離し可能に構成されていることを特徴とする請求項１記載の薬剤経口投与器具。
【請求項３】
前記内部孔（２０６）は、前記内壁（２０３）の周方向に沿って多数開口していることを特徴とする請求項１または２記載の薬剤経口投与器具。
【請求項４】
前記筒部材（２００）は、薬剤を係止するバー（２０２）を備えることを特徴とする請求項１乃至３いずれか１つに記載の薬剤経口投与器具。
【請求項５】
前記内壁（２０３）は、前記筒部材（２００）の開口端（２０４）側から反対側（２０５）に向かって漏斗状に縮径することを特徴とする請求項１乃至４いずれか１つに記載の薬剤経口投与器具。
【請求項６】
内部に粘性液体を保持可能な可撓性材料からなる袋容器（１００）に対して取り付けられることで、薬剤経口投与器具を構成する筒部材であって、
使用者が口で含める外径とされた開口端（２０４）を含み、該開口端（２０４）側が閉じていると共に該開口端と（２０４）と反対側（２０５）が開き、中空状の内壁（２０３）が備えられた二重管構造とされ、
かつ、前記内壁（２０３）に内部孔（２０６）が形成されており、
さらに、前記袋容器（１００）の一端開口部（１０４）に配置された飲み口（１１０）に締結されると共に、内部が前記二重管構造における前記内壁の外周側の空間と前記内壁が構成する中空内とに繋がる締結部（２１０）が備えられた、薬剤経口投与器具に適用される筒部材。
【発明の詳細な説明】
【技術分野】
【０００１】
本発明は、薬剤を経口投与する際、使用者が容易に薬剤を飲み下しできるようにする薬剤経口投与器具およびそれに適用される筒部材に関する。
【背景技術】
【０００２】
薬剤を経口投与する際に、薬剤を粘性の液体に浸し、薬剤を粘性液体と共に飲み下せるようにする器具として、特許文献１の技術が知られている。
【０００３】
この特許文献１に記載の技術では、液体容器の奥まで一旦薬剤を入れて、薬剤と粘性液体とを混ぜ、その混合状態の液体と薬とを共に飲むようにしている。
【先行技術文献】
【特許文献】
【０００４】
【特許文献１】特許第６１６８１６０号公報
【発明の概要】
【発明が解決しようとする課題】
【０００５】
しかしながら、上記特許文献１に記載の技術では、容器の中で薬剤と粘性液体とを混合する手順が煩雑であった。特に粘性液体は、その粘性特性により、薬剤が容易には容器の奥に移動できず、薬剤を直ちに飲み下ししたい使用者には、不便であった。
【０００６】
本発明は上記点に鑑みて、容器の入り口部分に薬剤を配置するのみで、薬剤と粘性液体との混合が容易に行え、使用者にとって利用しやすい薬剤経口投与器具を提供することを目的とする。
【課題を解決するための手段】
【０００７】
上記目的を達成するため、請求項１に記載の発明では、ポリプロピレンやポリエチレンなどの可撓性のある袋容器に、粘性液体を充填している。この袋容器の一端には、薬剤を入れるのに充分な大きさの開口部が形成された筒部材が配置されており、使用者は、筒部材開口部の蓋を空ければ、開口部から薬剤を投入することができる。
【０００８】
また、筒部材は、使用者が粘性液体を吸引するのに適した径に形成されている。この筒状部は二重管構造となっており、かつ、内壁には内部孔が開口している。使用者が薬剤を投入した状態で袋容器を加圧変形させれば、内部孔から粘性液体が薬剤の上部を覆い被せることができるようになっている。
【０００９】
即ち、使用者が袋容器を握れば、薬剤は粘性液体によってサンドイッチ状に覆われる。その状態で、使用者は、筒状部を口でくわえ、かつ、同時に袋容器を更に握って、袋容器内部の粘性液体を吸引することにより、粘性液体と共に薬剤を同時に飲み込むことができる。
【発明の効果】
【００１０】
本発明では、薬剤を袋容器の内部に押し込む必要が無く、蓋を空けて薬剤を投入するのみで、薬剤を粘性液体と一緒に飲み下すことができ、煩雑な手間をかけることなく、容易に薬剤を飲むことができる。特に、袋容器内部に粘性液体を保持するので、水やコップが無い状態でも、薬剤を経口投与することができ、携行性に優れる。
【００１１】
なお、各構成要素等に付された括弧付きの参照符号は、その構成要素等と後述する実施形態に記載の具体的な構成要素等との対応関係の一例を示すものである。
【図面の簡単な説明】
【００１２】
【図１】第１実施形態にかかる薬剤経口投与器具の全体を示す正面図である。
【図２】袋容器の斜視図である。
【図３】筒状部の断面図である。
【図４】筒状部の平面図である。
【図５】蓋部の断面図である。
【図６】筒部材内部での粘性液体の移動を示す説明図である。
【図７】蓋部を外した器具の斜視図である。
【図８】第２実施形態にかかる薬剤経口投与器具の全体を示す断面図である。
【図９】図８に示す薬剤経口投与器具の筒部材を取り付ける前の状態を示した断面図である。
【発明を実施するための形態】
【００１３】
以下、本発明の実施形態について図に基づいて説明する。なお、以下の各実施形態相互において、互いに同一もしくは均等である部分には、同一符号を付して説明を行う。
【００１４】
（第１実施形態）
以下、図に基づいて本発明の薬剤経口投与器具の一実施形態を説明する。
【００１５】
図１は、器具の正面図であり、１００は、ポリプロピレンやポリエチレンなどの可撓性のあるフィルム材料からなる袋容器で、内部にゼリー状の粘性液体を保持している。袋容器１００は、図２に示す様に、周囲の三方を溶着して内部に粘性液体を保持する空間１０１を形成している。図２の１０２は、溶着部を示す。溶着部１０２の幅は、５ｍｍ程度である。袋容器１００の底部１０３は、楕円形状となっている。
【００１６】
袋容器１００は、底部１０３の大きさが８０ｍｍ程度、高さが５５ｍｍ程度である。袋容器１００の上部には、幅２０ｍｍ程度の開口部１０４が設けられている。換言すれば、開口部１０４は溶着されていない。
【００１７】
開口部１０４には、図３に示す樹脂製の筒部材２００が配置されている。粘性液体が漏れ出ることがないように、筒部材２００の周囲に袋容器１００が密着している。筒部材２００の上方の外周には、蓋部材３００がネジ止めされるネジ部２０１が形成されている。
【００１８】
筒部材２００の上方部分の径は、使用者が口に含むことができる大きさであり、本実施形態では２５ｍｍとしている。筒部材２００は、袋容器１００の開口部１０４から抜け出ることが無いよう、下方部分はラッパ状に末広がりとなっており、下端部の外径は本実施形態では３２ｍｍである。
【００１９】
筒部材の内部には、薬剤を係止するバー２０２が十字状に形成されている。また、筒部材２００は内部が二重構造となっており、中空状、本実施形態の場合は漏斗状の内壁２０３が形成されている。内壁２０３の開口端２０４は、筒部材２００の上端と連続していて、径は２５ｍｍである。一方、内壁２０３の下端２０５は縮径されており、その径は１０ｍｍである。図４や図７に示すように、内壁２０３には、内部孔２０６が多数設けられている。
【００２０】
蓋部材３００は、筒部材２００に固着している固着部３０２と、筒部材２００のネジ部２０１と螺合する取り外しキャップ部３０３とからなる。固着部３０２と取り外しキャップ部３０３との間は、切り離しが可能なように、切れ目が設けられている（図１参照）。取り外しキャップ部３０３には、図５に示すように、筒部材２００のネジ部２０１と螺合するネジ部３０１が形成されている。
【００２１】
取り外しキャップ部３０３の内径は、筒部材２００の上方部外形と同様であり、取り外しキャップ部３０３の外径は、２９ｍｍである。また、取り外しキャップ部３０３の高さは、１９ｍｍである。
【００２２】
粘性液体は、薬剤を飲むのに必要な量であり、一例としては３０ｍｌの量が望ましい。粘性液体の粘性は、後述のように、開口部から薬剤を投入した際、早期に薬剤が液体に沈むことがなく、かつ、使用者が液体を飲むときに容易に飲み込むことができる程度の粘性が望ましい。
また、粘性液体は、薬剤と一緒に使用者が飲むため、特別な成分を含まないことが望ましい。ただ、使用者が飲みやすくするため、果汁の香りや味を添加しても良い。
【００２３】
次に、この器具の使用例を説明する。
【００２４】
使用者が、器具を使用する前には、蓋部材３００の固着部３０２と取り外しキャップ部３０３とは、一体となっている。そして、使用の際には、使用者が取り外しキャップ部３０３を摘まんで回すと、筒部材２００のネジ部２０１と蓋部材３００のネジ部３０１との係合によって、取り外しキャップ部３０３は上方に引き上げられる。その結果、蓋部材３００の切れ目によって、固着部３０２から取り外しキャップ部３０３が引き離される。
【００２５】
取り外しキャップ部３０３を取り外した状態で、使用者は筒部材２００内部に薬剤を投入する。薬剤は、通常直径が数ｍｍから１ｃｍ程度の錠剤であるので、投入された薬剤はバー２０２に係止される。
【００２６】
薬剤を投入した後、使用者は袋容器１００を多少押しつぶすように加圧変形させる。この押しつぶしにより、図６に示すように、粘性液体４００が二重管構造の筒部材２００の内壁２０３を上方に進み、内部孔２０６より漏斗状内壁２０３の内側に流入する。
【００２７】
即ち、二重管構造の筒部材２００は、内壁２０３の開口端２０４側が閉じ、下端２０５側が開いており、かつ、内壁２０３は漏斗状に縮径しているので、内壁２０３と筒部材２００との間に流入した粘性液体４００は、中心部分の粘性液体より早く上方に流れ、内部孔２０６から垂れ落ちることとなる。
【００２８】
この粘性液体４００の、二重管構造の筒部材２００内での上方への流入により、薬剤５００は袋容器１００内部の粘性液体４００と上方から流入する粘性液体４００によって、サンドイッチ状に挟持される。
【００２９】
使用者は、この状態で、筒部材２００を口に含み、袋容器１００を一層押しつぶすように加圧変形させると同時に、内部の粘性液体４００を吸引する。この吸引の状態では、バー２０２に係止した薬剤５００は袋容器１００の上方部、即ち、使用者の口に近い部分に位置しているので、吸引時に確実に薬剤を飲み込むことができる。
【００３０】
本実施形態では、粘性液体４００は３０ｍｌ程度内蔵されているが、１つの錠剤を飲み込むのには、袋容器１００の内の上方部のみの液体で充分であるので、一度に多数の錠剤を飲む場合には、全ての錠剤を一度に筒部材２００から投入するのではなく、錠剤を何度かに分けて飲むこともできる。
【００３１】
勿論、使用者のニーズによっては、多数の錠剤を一度に飲むことも可能である。また、薬剤は、錠剤に限らず、粉状の薬剤であってもよい。
【００３２】
経口投与する薬剤を飲むための器具である特性に鑑みれば、この器具は毎回の薬剤の服用により使い切りとするのが望ましい。
【００３３】
（第２実施形態）
本発明の第２実施形態にかかる薬剤経口投与器具について説明する。
【００３４】
図８は、本実施形態にかかる筒部材２００を取り付けた後の薬剤経口投与器具の断面図である。また、図９は、筒部材２００を取り付ける前の状態での薬剤経口投与器具の様子を示した図である。本実施形態では、筒部材２００を着脱式としている。図８および図９に示されるように、袋容器１００については、例えば内部に粘性液体４００が封入されている汎用品を適用し、この袋容器１００に対して筒部材２００を取り付けることで薬剤経口投与器具が構成されるようにしている。
【００３５】
汎用品の袋容器１００としては、空間１０１に、ゼリー飲料などのように、ゼリー状の粘性液体４００が封入されたものが用いられる。汎用品の袋容器１００は、開口部１０４に円筒状の飲み口１１０を有した構成とされている。飲み口１１０の径は、使用者が口に含むことができる径とされ、例えば筒部材２００の外径よりも小さな径とされている。飲み口１１０の外周には、ネジ部１１１が形成されている。飲み口１１０は、図９に示すように、使用者が粘性液体４００を服用する前の状態においては、蓋部材１１２で覆われている。蓋部材１１２の内壁面にはネジ部１１３が形成されており、蓋部材１１２のネジ部１１３が飲み口１１０のネジ部１１１に螺号されることで、蓋部材１１２にて飲み口１１０が覆われるようになっている。
【００３６】
本実施形態の筒部材２００は、飲み口１１０から蓋部材１１２を取り外した後の飲み口１１０に対して取り付けられる。このため、本実施形態の筒部材２００には、飲み口１１０に締結するための締結部２１０が備えられている。締結部２１０は、開口端２０４と反対側に備えられ、円筒状で構成されていると共に、内壁面にネジ部２１１が備えられている。そして、締結部２１０のネジ部２１１が飲み口１１０のネジ部１１１に螺号されることで、締結部２１０が飲み口１１０に締結される。このようにして、筒部材２００が汎用品の袋容器１００に取り付けられる。
【００３７】
締結部２１０は、内壁２０３から所定距離離れた位置に形成されている。このため、締結部２１０の内部と、内壁２０３の内周側の中空内と、内壁２０３の外周側の空間とが繋がっている。そして、袋容器１００を押しつぶしたときに、内壁２０３の内周側の中空内と、内壁よりも外周側に粘性液体４００が流動させられるようになっている。また、締結部２１０の外径については、飲み口１１０の外径に対応して設定されている。締結部２１０の外径と筒部材２００における締結部２１０以外の部分の外径との間に差がある場合には、締結部２１０において縮径される。
【００３８】
なお、筒部材２００のうち締結部２１０以外の部分の構成については、第１実施形態と同様である。
【００３９】
以上のように、袋容器１００に対して筒部材２００を着脱可能な構成としている。このような構造としても、粘性液体４００が二重管構造の筒部材２００内において上方へ流入するようにできる。そして、図６と同様に、薬剤５００を袋容器１００内部の粘性液体４００と上方から流入する粘性液体４００によって、サンドイッチ状に挟持できる。したがって、第１実施形態と同様の効果を得ることができる。
【００４０】
また、薬剤５００の服用後に袋容器１００に対して粘性液体４００が残っている状態であれば、それを繰り返し薬剤５００の服用に利用しても良い。上記したように、経口投与する薬剤５００を飲むための器具である特性に鑑みれば、この器具は毎回の薬剤５００の服用により使い切りとされるのが望ましい。しかしながら、本実施形態の場合、袋容器１００に対して筒部材２００を着脱可能な構造にしていることから、薬剤５００の服用後に、再び筒部材２００を袋容器１００から取り外して洗浄することもできる。このため、筒部材２００を清潔に保つことが可能になるし、再利用も可能になる。口に付着した粘性液体４００についても、筒部材２００内に残るようにして筒部材２００を袋容器１００から取り外すようにすれば、袋容器１００内に残る粘性液体４００についても、清潔に保つことが可能となる。したがって、同じ袋容器１００に入っている粘性液体４００についても、繰り返し利用することが可能となり、経済的である。
【００４１】
（他の実施形態）
上述の各実施形態は、本発明の適用例として望ましい形態を示したが、本発明の範囲内で種々の変更が考えられる。例えば、袋容器１００や蓋部材３００の大きさは一例であり、寸法は適宜変更可能である。また、粘性液体の量も、３０ｍｌは一例であり、変更可能である。大人用と子供用の大きさの器具を用意しても良い。また、第１実施形態の薬剤経口投与器具については、一度の薬剤５００の服用により使い切るのが好ましいが、必ずしも１度の使い切りとしなくても良い。
【００４２】
また、上述の各実施形態では、薬剤５００を係止するバー２０２を設けたが、薬剤は粘性液体の表面に浮かぶのが通常であるので、バー２０２は廃止してもよい。
【００４３】
また、上述の各実施形態では、筒部材２００の内壁２０３に内部孔２０６を周方向全周に亘って多数形成したが、この内部孔２０６の位置や数も適宜変更可能である。内部孔２０６は、薬剤を投入後、袋容器１００を押しつぶすことで、粘性液体４００が薬剤の上に覆いかぶさることができればよい。
【００４４】
また、上述の各実施形態では、内壁２０３を漏斗状とし、二重管構造の内壁２０３と筒部材２００との間に粘性液体４００が流入しやすくしていたが、製造上などで要請があれば、必ずしも、漏斗状とすることは必須ではない。
【００４５】
また、上述の第２実施形態では、筒部材２００の構造を締結部２１０以外については第１実施形態と同様としている。つまり、蓋部材３００にて筒部材２００を覆うことができる構造とし、外周にネジ部２０１を備えた構造とした。しかしながら、第２実施形態のように、筒部材２００を袋容器１００から着脱可能な構造にする場合、筒部材２００を蓋部材３００で覆うことができる構造としなくても良く、ネジ部２０１などを備えない構造としても良い。
【符号の説明】
【００４６】
１００・・・袋容器
１０４・・・開口部
２００・・・筒部材
２０１・・・ネジ部
２０２・・・バー
２０３・・・内壁
２０４・・・開口端
２０５・・・下端
２０６・・・内部孔
２１０・・・締結部
３００・・・蓋部材
３０１・・・ネジ部
３０２・・・固着部
３０３・・・取り外しキャップ部
４００・・・粘性液体
５００・・・薬剤
【図１】
2020078395.tif 000003
【図２】
2020078395.tif 000004
【図３】
2020078395.tif 000005
【図４】
2020078395.tif 000006
【図５】
2020078395.tif 000007
【図６】
2020078395.tif 000008
【図７】
2020078395.tif 000009
【図８】
2020078395.tif 000010
【図９】
2020078395.tif 000011
【手続補正書】
【提出日】令和1年10月11日(2019.10.11)
【手続補正１】
【補正対象書類名】特許請求の範囲
【補正対象項目名】全文
【補正方法】変更
【補正の内容】
【特許請求の範囲】
【請求項１】
可撓性材料からなり、内部に粘性液体（４００）を保持可能な袋容器（１００）と、
前記袋容器（１００）の開口部（１０４）に配置され、使用者が口で含める外径をなす外壁を有する筒部材（２００）と、
前記筒部材（２００）の開口部を覆う蓋部材（３００）と、を有し、
前記外壁の内側に中空状の内壁（２０３）が備えられることで前記外壁と前記内壁とによる二重管構造が構成され、前記内壁（２０３）における開口端（２０４）が前記外壁における前記袋容器と反対側の端部となる上端と連続していると共に、前記内壁（２０３）の外径が前記上端側から前記袋容器（１００）側となる下端（２０５）側に向かって縮径され、かつ、前記内壁（２０３）に内部孔（２０６）が形成されており、
前記内壁（２０３）の中空部内に配置された薬剤（５００）は、前記内壁（２０３）の前記中空部を通じて流動する前記粘性液体（４００）と、前記外壁と前記内壁との間の空間から前記内部孔（２０６）を通じて前記内壁の前記中空部内に流動する前記粘性液体（４００）とによって挟持され、前記使用者の口に供給されることを特徴とする薬剤経口投与器具。
【請求項２】
前記蓋部材（３００）は、前記筒部材（２００）と固着する固着部（３０２）と、前記筒部材（２００）のネジ部（２０１）と螺合するネジ部（３０１）を有する取り外しキャップ部（３０３）とを有し、前記固着部（３０２）と取り外しキャップ部（３０３）とは切り離し可能に構成されていることを特徴とする請求項１記載の薬剤経口投与器具。
【請求項３】
前記内部孔（２０６）は、前記内壁（２０３）の周方向に沿って複数開口していることを特徴とする請求項１または２記載の薬剤経口投与器具。
【請求項４】
前記筒部材（２００）は、薬剤を係止するバー（２０２）を備えることを特徴とする請求項１乃至３いずれか１つに記載の薬剤経口投与器具。
【請求項５】
前記内壁（２０３）は、前記筒部材（２００）の開口端（２０４）側から前記袋容器（１００）側となる前記下端側（２０５）に向かって漏斗状に縮径することを特徴とする請求項１乃至４いずれか１つに記載の薬剤経口投与器具。
【請求項６】
内部に粘性液体（４００）を保持可能な可撓性材料からなる袋容器（１００）に対して取り付けられることで、薬剤経口投与器具を構成する筒部材であって、
使用者が口で含める外径とされた外壁と、前記外壁の内側に備えられた中空状の内壁（２０３）と、が備えられることで前記外壁と前記内壁とによる二重管構造が構成され、前記内壁（２０３）における開口端（２０４）が前記外壁における前記袋容器と反対側の端部となる上端と連続していると共に、前記内壁（２０３）の外径が前記上端側から前記袋容器（１００）側となる下端（２０５）側に向かって縮径され、かつ、前記内壁（２０３）に内部孔（２０６）が形成されており、
さらに、前記袋容器（１００）の開口部（１０４）に配置された飲み口（１１０）に締結されると共に、内部が前記二重管構造における前記内壁の外周側の空間と前記内壁が構成する中空部内とに繋がる締結部（２１０）が備えられ、
前記内壁（２０３）の中空部内に配置された薬剤（５００）は、前記内壁（２０３）の前記中空部を通じて流動する前記粘性液体（４００）と、前記外壁と前記内壁との間の空間から前記内部孔（２０６）を通じて前記内壁の前記中空部内に流動する前記粘性液体（４００）とによって挟持され、前記使用者の口に供給される、薬剤経口投与器具に適用される筒部材。